(57)【要約】      （修正有）【課題】妊娠などによって体型の変化が生じても、通常のパンツ、スラックスやスカート等の下衣を無理なく着用できるようにした重ね着用巻きスカートの提供を図る。【解決手段】巻きスカートの一端側に、下衣ａのファスナｂを挟んだ一方側身頃ｃのボタンホールｅに対する第１係止部２１と、他方側身頃ｄに対する第２係止部２２とを、間隔を隔てて設ける。下衣ａのファスナｂを開いた状態で、第１係止部２１と第２係止部２２とをそれぞれ係止し、巻きスカートを下衣ａの外側に巻き付けて着用する。【選択図】          図１
2008045251.tif 000002
【特許請求の範囲】
【請求項１】
スラックスやスカート等の下衣の上に重ねて着用する巻きスカートにおいて、
下衣の着用ファスナを開いた状態でファスナを挟んだ下衣身頃の一方側と他方側との少なくとも何れか一方に対する係止部が、巻きスカートの一端側に設けられ、
巻きスカートの他端側に、当該他端側を巻きスカートの一端側若しくは下衣に対して固定する固定部が設けられ、
着用ファスナを開いた状態で下衣を着用し、巻きスカートの一端側の係止部を下衣身頃に係止し、巻きスカートを下衣の外側に巻き付けて、他端側の固定部を固定して着用するようにしたことを特徴とする重ね着用巻きスカート。
【請求項２】
巻きスカートの上記の一端側に、上記の下衣の着用ファスナを開いた状態でファスナを挟んだ下衣身頃の一方側の内側に挿入される延設部が設けられたことを特徴とする請求項１記載の重ね着用巻きスカート。
【請求項３】
巻きスカートの上記の一端側に、上記の下衣身頃の一方側に対する第１係止部と、上記の下衣身頃の他方側に対する第２係止部とが、間隔を隔てて設けられ、
当該第１係止部がボタンにより構成され、当該第２係止部がボタンホールにより構成されたことを特徴とする請求項１又は２記載の重ね着用巻きスカート。
【発明の詳細な説明】
【技術分野】
【０００１】
本願発明は、重ね着用巻きスカート、特に、妊娠初期の女性が着用するのに最適な重ね着用巻きスカートに関するものである。
【背景技術】
【０００２】
従来より、妊婦用の衣服については、変化する体型に対応できるよう、ウエストに十分な余裕を持たせた所謂妊婦服が使用されている。また、特許文献１のように、腹部に対応する位置に、ウエストライン上の上辺が開放された切欠部を設け、この切欠部の底部に一端が縫着された調節帯の先端部に、ウエストベルトに着脱し得る係着手段を設け、調節帯の長さを調節することによって、妊婦の変化する体型に合うように調節でき、妊娠中の長期にわたって着用できるスカートも提案されている。また最近にあっては、従来のスカート形状の妊婦服に代わって、ジーンズ素材などによるパンツやスラックスの形状の妊婦服も提供されており、一般服に近い形状の妊娠服も市販されている。このようにファッション重視の影響から、妊娠初期の女性にあっては、いつも着用しているパンツやスラックスを窮屈な思いをしながら無理に着用している場合もあり、このような無理な着用は母子の健康に悪影響を及ぼすことは明らかである。
【０００３】
【特許文献１】特開平１１−１２４７０６号公報
【発明の開示】
【発明が解決しようとする課題】
【０００４】
本願発明は、若干の体型の変化が生じても、通常のパンツ、スラックスやスカート等の下衣（下半身に着用する衣服）を無理なく着用できるようにした重ね着用巻きスカートを提供することを目的とするものであり、これにより、妊娠によって或いはそれ以外の理由によって、体型が変化した女性にあっても、普段愛用している下衣を、無理なく着用することができるようにせんとするものである。
【課題を解決するための手段】
【０００５】
本願の請求項１に係る発明は、スラックスやスカート等の下衣の上に重ねて着用する巻きスカートにおいて、下衣の着用ファスナを開いた状態でファスナを挟んだ下衣身頃の一方側と他方側との少なくとも何れか一方に対する係止部が、巻きスカートの一端側に設けられ、巻きスカートの他端側に、当該他端側を巻きスカートの一端側若しくは下衣に対して固定する固定部が設けられ、着用ファスナを開いた状態で下衣を着用し、巻きスカートの一端側の係止部を下衣身頃に係止し、巻きスカートを下衣の外側に巻き付けて、他端側の固定部を固定して着用するようにしたことを特徴とする重ね着用巻きスカートを提供する。
本願の請求項２に係る発明は、巻きスカートの上記の一端側に、上記の下衣の着用ファスナを開いた状態でファスナを挟んだ下衣身頃の一方側の内側に挿入される延設部が設けられたことを特徴とする請求項１記載の重ね着用巻きスカートを提供する。
本願の請求項３に係る発明は、巻きスカートの上記の一端側に、上記の下衣身頃の一方側に対する第１係止部と、上記の下衣身頃の他方側に対する第２係止部とが、間隔を隔てて設けられ、当該第１係止部がボタンにより構成され、当該第２係止部がボタンホールにより構成されたことを特徴とする請求項１又は２記載の重ね着用巻きスカートを提供するものである。
【発明の効果】
【０００６】
本願の請求項１に係る発明は、着用ファスナを開いた状態で下衣を着用し、巻きスカートの一端側の係止部を下衣身頃に係止し、巻きスカートを下衣の外側に巻き付けて、他端側の固定部を固定して着用することができるものであり、ファスナを開いた下衣の上から本願の重ね着用巻きスカートを着用することによって、妊娠などによって体型に変化が生じた女性にあっても、体に悪影響を及ぼすことなく、無理なく普段愛用している下衣を着用することができるものである。
本願の請求項２に係る発明は、上記の作用効果に加えて、ファスナを挟んだ下衣身頃の一方側の内側に挿入される延設部が設けられたものであるため、万が一、巻きスカートが捲れることがあっても、その内側の下着が見えず、安心して着用できるものとなる。
本願の請求項３に係る発明は、上記の作用効果に加えて、ジーンズパンツに最適な重ね着用巻きスカートを提供することができたものである。
【発明を実施するための最良の形態】
【０００７】
以下、図面に基づき本願発明の実施の形態を説明する。
図１は本願発明の実施の形態に係る重ね着用巻きスカートの着用状態の斜視図であり、図２は同着用過程を示す斜視図であり、図３は同展開図である。
【０００８】
この巻きスカートは、スラックスやスカート等の下衣ａの上に重ねて着用する巻きスカートであり、身頃を構成する横一連の生地（素材は、木綿、合成繊維など通常のスカートと同様のものを適宜選択して用いることができる）によって構成されたスカート身頃１１を有する。このスカート身頃１１は、一枚の生地によって構成されたものであってもよく、複数枚の生地を縫着したものであってもよい。このスカート身頃１１は、図３に示すように、中央に後身頃１２を配位し、その左右何れか一方の側（この例では左側）に前身頃１３を連設し、他方の側（右側）に重なり代１４を連設したものであり、重なり代１４の端部には延設部１５が形成されたものであり、着用時には、重なり代１４を内側（体に近い側）に配位して巻回し、重なり代１４の外側に前身頃１３を重ねるようにして着用される。
【０００９】
この巻きスカートは、図１、図２に示すように、下衣ａの上に重ねて着用されるが、その際、下衣ａの着用ファスナｂを開いた状態で着用される。そのため、着用ファスナｂを挟んだ第１身頃ｃと第２身頃ｄとの少なくとも何れか一方に対する係止部（この例では第１身頃ｃ、第２身頃ｄそれぞれに対する第１係止部２１、第２係止部２２）が設けられている。この係止部は、下衣ａのウエスト部分を係止するもので、係止巻きスカートのウエスト部分に設けられるのが適当であり、この例ではスカート身頃１１の上端寄りに設けられている。第１係止部２１と第２係止部２２とは横方向（ウエストの周方向）に間隔を隔てて設けられている。この間隔は、着用ファスナｂを開いた時における第１身頃ｃと第２身頃ｄとの間隔に合わせて設定されるもので、具体的には、２〜２５ｃmが適当である。特に、妊婦の腹部の大きさの変化に対応できるように、複数位置で係止できるようにしておくことが望ましい。
【００１０】
より具体的に説明すると、下衣ａがジーンズパンツの場合には、通常、着用ファスナｂを挟んだ第１身頃ｃにはボタンホールｅが設けられ、第２身頃ｄにはボタンｆが設けられている。これに対して、巻きスカートの第１係止部２１としては、ボタンホールｅに対応するボタンが設けられ、第２係止部２２としては、ボタンｆに対応するボタンホールが設けられる。これにより、第１係止部２１とボタンホールｅ、第２係止部２２とボタンｆとを各々係止することによって、着用ファスナｂを開いた第１身頃ｃと第２身頃ｄとの間隔を、一定の間隔とすることができるものである。第２係止部２２を横方向に複数箇所設けることによって、腹部の大きさに対応して、当該間隔を所望の間隔に設定して着用することができる。勿論、第１係止部２１を複数箇所設けることもでき、また、長さ調整可能な金具によって、係止位置を調整可能に変更するようにしてもよい。さらに、この例では、ボタンとボタンホールの例を挙げたが、スラックスやスカートの場合には止め金具によって第１身頃ｃと第２身頃ｄとを固定するようにしたものがあるが、その場合には、それぞれに係止し得る金具を第１係止部２１、第２係止部２２として用いればよい。この他、クリップや針状のピンなどを採用することにより、第１身頃ｃ、第２身頃ｄの生地に対して係止するものとして実施することもできる。
【００１１】
次に、この例では、重なり代１４の周方向の端部に、延設部１５が延設されている。この延設部１５は、開かれた着用ファスナｂから、第１身頃ｃの内側に挿入されるものである。この延設部１５は、その縦長さが、着用ファスナｂの長さと等しいかこれより短いものであることが望ましく、具体的には１０〜２５ｃm程度が適当であり、その上端の位置は、重なり代１４等のスカート身頃１１の他の部分の上端と実質的に同じ位置として、巻きスカートのウエストラインと一致させておくことが望ましい。そして、この延設部１５の上端寄りに第１係止部２１を設けて、第１身頃ｃのボタンホールｅと係合させることによって、下衣ａの中に履いている下着などが容易に見えないようすることができる。なお、下衣ａの第１身頃ｃの係止具がボタンホールｅではなくボタンの場合には、第１係止部２１としてボタンホールを形成し、延設部１５を第１身頃ｃの表面側に配位するように着用すればよく、延設部１５を設けずに重なり代１４の端部に第１係止部２１を設けてもよい。
【００１２】
次に、この巻きスカートの他端側について説明する。この他端側は、通常の巻きスカートと同様の方法で固定するようにすればよく、巻きスカートの他端側（即ち、この例では前身頃１３）を、巻きスカートの重なり代１４と着脱可能に固定すればよい。この例では、前身頃１３の上端寄りの端部にホックからなる固定部２３を設け、着用時に前身頃１３の内側に位置する重なり代１４にホックやドットボタンからなる固定部２４を設ける。このとき、固定部２４を横方向に複数設けることによって、腹部の大きさに対応して、前述の第１係止部２１、第２係止部２２間の間隔調整に合わせて、ウエストの長さを調整して着用することができる。勿論、固定部２３を複数箇所設けることもでき、また、長さ調整可能な金具や起毛面ファスナを用いることによって、固定位置を調整可能に変更するようにしてもよい。さらに、紐部材によって固定するようにしてもよく、たとえば、後身頃１２と前身頃１３との上端間に渡って紐挿通部を設け、この紐挿通部に紐部材２５を通して固定するようにしてもよい。また、前身頃１３を下衣ａに対して固定するようにしてもよい。
【００１３】
着用に際しては、図２に示すように、着用ファスナｂを開いた状態で、巻きスカートの第１係止部２１と下衣ａのボタンホールｅを係止し、第２係止部２２とボタンホールｅとを係止し、巻きスカートを胴に巻く。そして、固定部２３と固定部２４とを固定し、紐部材２５の両端同士を結ぶことによって、着用が完了する。
【００１４】
図４は、延設部１５の変更例を示すもので、延設部１５の下端を、着用ファスナｂよりも下方の低い位置にまで伸ばすようにしたものである（以下、この低い位置にまで伸ばした部分を下方延設部１６という）。このように、延設部１５の基部１７よりも、下方に伸びる下方延設部１６を設けることによって、延設部１５（下方延設部１６を含む）が、開いた着用ファスナｂからはみ出して内側に着用する下着が露出してしまうことを、より確実に防止することができ、着用者の安心感を高めることができるものである。
【００１５】
本願の巻きスカートの着丈は、膝より短いミニスカートとしてもよく、ロングスカートとしてもよいが、図５に示すように、ミニスカートして、下衣ａと上衣ｇとのバランスが取れるような着用方法とすれば、極めて自然な感じのファッションを楽しむことができる。
【図面の簡単な説明】
【００１６】
【図１】本願発明の実施の形態に係る重ね着用巻きスカートの着用状態の斜視図である。
【図２】同着用過程を示す斜視図である。
【図３】同展開図である。
【図４】本願発明の実施の形態に係る重ね着用巻きスカートの着用状態を示す斜視図である。
【図５】同巻きスカートの着用例を示す正面図である。
【符号の説明】
【００１７】
１１スカート本体
１２後身頃
１３前身頃
１４重なり代
１５延設部
２１第１係止部
２２第２係止部
２３固定部
２４固定部
ａ下衣
ｂ着用ファスナ
ｃ一方側身頃
ｄ他方側身頃
ｅボタンホール
ｆボタン
ｇ上衣
【図１】
2008045251.tif 000003
【図２】
2008045251.tif 000004
【図３】
2008045251.tif 000005
【図４】
2008045251.tif 000006
【図５】
2008045251.tif 000007